(57)【要約】【課題】適切に通話を制御すること。【解決手段】音声入力部は、音声が入力される。音声処理部は、音声入力部から入力された音声に基づく音声信号を処理する。通信部は、音声処理部において処理された音声信号の送信を行う。押圧センサ部は、押されることによって生じる押圧力を検出する。制御部は、押圧センサ部で検出された押圧力に基づいて、音声信号の音声通信状態が異なる複数のモードを切り替えることにより、通話の機能を制御する。制御部は、通話の開始または通話の再開を行う機能を制御する。記憶部は、押圧力に関する情報を記憶する。判定部は、記憶部に記憶された押圧力に関する情報を読み出して、読み出した情報と、押圧センサ部で検出された押圧力と、に基づいて、通話の開始または通話の再開を行うか否かを判定する。【選択図】図３
2014022979.tif 000002
【特許請求の範囲】
【請求項１】
音声が入力される音声入力部と、
前記音声入力部から入力された音声に基づく音声信号を処理する音声処理部と、
前記音声処理部において処理された前記音声信号の送信を行う通信部と、
押圧力の大きさを検出する押圧センサ部と、
前記押圧センサ部で検出された前記押圧力の大きさに基づいて、前記音声信号の音声通信状態が異なる複数のモードを切り替えることにより、通話の機能を制御する制御部と、
を備えること
を特徴とする端末装置。
【請求項２】
前記制御部は、
通話の開始または通話の再開を行う機能を制御すること
を特徴とする請求項１に記載の端末装置。
【請求項３】
前記制御部は、
押圧力に関する情報を記憶する記憶部と、
前記記憶部に記憶された前記押圧力に関する情報を読み出して、読み出した前記押圧力に関する情報と、前記押圧センサ部で検出された前記押圧力と、に基づいて自装置の通話の開始または通話の再開を行うか否かを判定する判定部と、
をさらに備えること
を特徴とする請求項２に記載の端末装置。
【請求項４】
前記押圧力に関する情報は、
前記押圧力の閾値に関する情報と、前記押圧センサ部で前記押圧力が検出され始めた時刻から前記押圧力が前記押圧力の閾値に到達するまでの押圧遷移時間の閾値に関する情報と、前記押圧力が前記押圧力の閾値を越え続けている継続時間の閾値に関する情報と、であることを特徴とする請求項３に記載の端末装置。
【請求項５】
操作体が接触する位置の位置座標を検出するタッチパネルと、
前記操作体が前記タッチパネルに接触している接触面積、または前記タッチパネルに接触している前記操作体の接触形状を検出する接触検出部と、
をさらに備え、
前記判定部は、
前記接触検出部で検出された前記接触面積、または接触形状の少なくとも一方に基づいて、通話の開始または通話の再開を行うか否かを判定すること
を特徴とする請求項４に記載の端末装置。
【請求項６】
他の端末装置から受信した音声信号に基づく音声を出力する音声出力部をさらに備え、
前記押圧センサ部は、前記音声出力部の近傍に位置すること
を特徴とする請求項１に記載の端末装置。
【請求項７】
前記判定部が、前記通話の再開を行うと判定した場合に、該通話の再開をユーザに通知する通知部をさらに備えることを特徴とする請求項３に記載の端末装置。
【請求項８】
端末装置が実行する通話の開始または通話の再開を行う通話制御方法であって、
音声が入力される音声入力ステップと、
入力された前記音声に基づく音声信号を処理する音声処理ステップと、
処理された前記音声信号の送信を行う通信ステップと、
押圧力の大きさを検出する押圧ステップと、
検出された前記押圧力の大きさに基づいて、前記音声信号の音声通信状態が異なる複数のモードを切り替えることにより、通話の機能を制御する制御ステップと、
を有すること
を特徴とする通話制御方法。
【請求項９】
コンピュータに、
音声が入力される音声入力ステップと、
入力された前記音声に基づく音声信号を処理する音声処理ステップと、
処理された前記音声信号の送信を行う通信ステップと、
押圧力の大きさを検出する押圧ステップと、
検出された前記押圧力の大きさに基づいて、前記音声信号の音声通信状態が異なる複数のモードを切り替えることにより、通話の機能を制御する制御ステップと、
を実行させるための通話制御プログラム。
【発明の詳細な説明】
【技術分野】
【０００１】
本発明は、端末装置、通話制御方法、および通話制御プログラムに関する。
【背景技術】
【０００２】
携帯電話装置は、通話中において、通話相手に音声を送信する通常モードと、通話相手に音声を送信しないミュート（消音）モードとを切り替えることができる。特許文献１に記載の携帯端末装置は、マイクロホン（マイクロフォン）へ発せられた音声を通話相手に送る通常モードと、音声を通話相手に送らないミュートモードとの切り替えを行う。また、携帯端末装置は、ミュートモードが実行されているときに、被検出物が近接したことを近接検出部が検出すると、通常モードへ切り替える。
【先行技術文献】
【特許文献】
【０００３】
【特許文献１】特開２０１２−１０１８３号公報
【発明の概要】
【発明が解決しようとする課題】
【０００４】
しかしながら、特許文献１に記載の携帯端末装置は、ユーザが通常モードとミュートモードとの切り替えを意図しないときに、近接検出部にモノが近接した場合、ミュートモードから通常モードに切り替えてしまうことがある。このように、特許文献１に記載の携帯端末装置は、適切に通話を制御することができないという問題があった。
【０００５】
本発明は上記の点に鑑みてなされたものであり、適切に通話を制御することができる、端末装置、通話制御方法、および通話制御プログラムを提供することを課題とする。
【課題を解決するための手段】
【０００６】
（１）本発明は上記の課題を解決するためになされたものであり、本発明の一態様は、端末装置であって、音声が入力される音声入力部と、前記音声入力部から入力された音声に基づく音声信号を処理する音声処理部と、前記音声処理部において処理された前記音声信号の送信を行う通信部と、押圧力の大きさを検出する押圧センサ部と、前記押圧センサ部で検出された前記押圧力の大きさに基づいて、前記音声信号の音声通信状態が異なる複数のモードを切り替えることにより、通話の機能を制御する制御部と、を備えることを特徴とする。
【０００７】
（２）また、本発明の一態様は、（１）に記載の端末装置であって、前記制御部は、通話の開始または通話の再開を行う機能を制御することを特徴とする。
【０００８】
（３）また、本発明の一態様は、（２）に記載の端末装置であって、前記制御部は、押圧力に関する情報を記憶する記憶部と、前記記憶部に記憶された前記押圧力に関する情報を読み出して、読み出した前記押圧力に関する情報と、前記押圧センサ部で検出された前記押圧力の大きさと、に基づいて自装置の通話開始または通話の再開を行うか否かを判定する判定部と、をさらに備えることを特徴とする。
【０００９】
（４）また、本発明の一態様は、（３）に記載の端末装置であって、前記押圧力に関する情報は、前記押圧力の閾値に関する情報と、前記押圧センサ部で前記押圧力の大きさが検出され始めた時刻から前記押圧力が前記押圧力の閾値に到達するまでの押圧遷移時間の閾値に関する情報と、前記押圧力の大きさが前記押圧力の閾値を越え続けている継続時間の閾値に関する情報と、であることを特徴とする。
【００１０】
（５）また、本発明の一態様は、（１）または（４）に記載の端末装置であって、操作体が接触する位置の位置座標を検出するタッチパネルと、前記操作体が前記タッチパネルに接触している接触面積、または前記タッチパネルに接触している前記操作体の接触形状を検出する接触検出部と、をさらに備え、前記判定部は、前記接触検出部で検出された前記接触面積、または接触形状の少なくとも一方に基づいて、通話の開始または通話の再開を行うか否かを判定することを特徴とする。
【００１１】
（６）また、本発明の一態様は、（１）、（３）、（５）に記載の端末装置であって、他の端末装置から受信した音声信号に基づく音声を出力する音声出力部をさらに備え、前記押圧センサ部は、前記音声出力部の近傍に位置することを特徴とする。
【００１２】
（７）また、本発明の一態様は、（１）、（３）、（５）、（６）に記載の端末装置であって、前記判定部が、前記通話の再開を行うと判定した場合、該通話の再開をユーザに通知する通知部をさらに備えることを特徴とする。
【００１３】
（８）また、本発明の一態様は、端末装置が実行する通話の開始または通話の再開を行う通話制御方法であって、音声が入力される音声入力ステップと、入力された前記音声に基づく音声信号を処理する音声処理ステップと、処理された前記音声信号の送信を行う通信ステップと、押圧力の大きさを検出する押圧ステップと、検出された前記押圧力の大きさに基づいて、前記音声信号の音声通信状態が異なる複数のモードを切り替えることにより、通話の機能を制御する制御ステップと、を有することを特徴とする。
【００１４】
（９）また、本発明の一態様は、コンピュータに、実行させるための通話制御プログラムであって、音声が入力される音声入力ステップと、入力された前記音声に基づく音声信号を処理する音声処理ステップと、処理された前記音声信号の送信を行う通信ステップと、押圧力の大きさを検出する押圧ステップと、検出された前記押圧力の大きさに基づいて、前記音声信号の音声通信状態が異なる複数のモードを切り替えることにより、通話の機能を制御する制御ステップと、を実行させる。
【発明の効果】
【００１５】
本発明によれば、適切に通話を制御することができる。
【図面の簡単な説明】
【００１６】
【図１】本発明の実施形態に係る端末装置の本体を正面から見た一例を示す正面図である。
【図２】本実施形態に係る端末装置の本体を右側面方向から見た一例を示す右側面図である。
【図３】本実施形態に係る端末装置の構成の一例を示す概略ブロック図である。
【図４】本実施形態に係る押圧検出値と、押圧遷移時間と、押圧継続時間との関係の一例を示す概念図である。
【図５】本実施形態に係る判定部の動作の一例を示すフローチャートである。
【発明を実施するための形態】
【００１７】
（実施形態）
以下、図面を参照しながら本発明の実施形態について詳しく説明する。
図１および図２は、本発明の実施形態に係る端末装置１００の一例を示す外観図である。
図１および図２に示す端末装置１００は、スマートフォン（高機能携帯電話端末装置）と称される、携帯電話機と情報処理端末が組み合わされた構成の端末装置である。図１は、端末装置１００の本体を正面から見た正面図である。図２は、端末装置１００の本体を右側面から見た右側面図である。
【００１８】
図１および図２に示されるように、端末装置１００の前面には、表示部１２０と、タッチパネル１０８と、が備えられる。
タッチパネル１０８は、ユーザからの情報の入力を行うための機能を有する部材である。
なお、本実施形態において、タッチパネル１０８に採用される方式は、ユーザの体の一部（操作体）、例えば、指、耳、顔などの接触に反応するものでよく、例えば、静電容量方式や抵抗膜方式など、公知の方式のタッチパネルを用いてもよい。
【００１９】
タッチパネル１０８の上部には、音声出力部１０４と、押圧センサ部１０７とが設けられる。
音声出力部１０４は、受話音声や通知音などの音声を出力する部材である。音声出力部１０４は、例えば、スピーカが用いられるが、本実施形態において公知の音声出力装置を用いることができ、特定の音声出力装置に限定されない。
【００２０】
押圧センサ部１０７は、タッチパネル１０８が押されることによって生じる力（以下、「押圧力」と称する）を検出し、検出した押圧力の大きさに応じた押圧検出値を出力する部材である。
【００２１】
図１および図２において示されるように、押圧センサ部１０７は、例えば、音声出力部１０４の近傍に設けられている。つまり、ユーザは、通話を行う際に、音声出力部１０４から出力される受話音声を聞き取るために、タッチパネル１０８に対して、耳または顔を接触させて、タッチパネル１０８を押すことになる。押圧センサ部１０７は、ユーザがタッチパネル１０８に耳または顔を接触させ、タッチパネル１０８を押すことによって生じる押圧力を検出し、その押圧力の押圧検出値を出力する。
【００２２】
押圧センサ部１０７は、音声出力部１０４の近傍に備えられていることが好ましいが、本実施形態において、押圧センサ部１０７の位置は端末装置１００上であれば限定されない。ここで、近傍とは、例えば、人の耳の大きさに相当する範囲である。具体的に、近傍は、人の耳の大きさの平均値に相当する範囲であってもよいし、人の耳の大きさの最大値または最小値に相当する範囲であってもよい。また、人の耳の大きさは国ごと、地域ごと、ユーザの年齢ごとに異なるので、近傍は、国ごと、地域ごと、ユーザの年齢ごとに設定してもよい。
【００２３】
タッチパネル１０８の下部には、音声入力部１０５が設けられている。音声入力部１０５は、音声（送話音声）を入力する部材である。音声入力部１０５は、例えば、マイクロフォンが用いられる。本実施形態においてマイクロフォンを用いているが、公知の音声入力装置を用いることができ、特定の音声入力装置に限定されない。
【００２４】
表示部１２０は、ユーザへの情報の提示を行うための機能を有する部材である。表示部１２０は、例えば、液晶装置または有機ＥＬ装置などの表示装置を有する。
【００２５】
図３は、本実施形態に係る端末装置１００の構成の一例を示す概略ブロック図である。
端末装置１００は、送受信アンテナ１０１と、通信部１０２と、出力音声処理部１０３と、音声出力部１０４と、音声入力部１０５と、入力音声処理部１０６と、押圧センサ部１０７と、タッチパネル１０８と、制御部Ｃ１と、を含んで構成される。端末装置１００は、その他に、スマートフォンの一般的な公知の機能を備える。
【００２６】
通信部１０２は、送受信アンテナ１０１を介して発信、着信、音声信号の送信、音声信号の受信、送受話処理などの携帯電話通信の各種処理を行う。通信部１０２は、各種処理した受信信号を復調することで、符号化音声信号を生成する。通信部１０２は、生成した符号化音声信号を出力音声処理部１０３に出力する。通信部１０２は、入力音声処理部１０６から入力された符号化音声信号を変調することで送信信号を生成する。通信部１０２は、生成した送信信号を、送受信アンテナ１０１を介して、例えば、携帯電話通信システムの基地局装置（図示せず）に送信する。
【００２７】
出力音声処理部１０３は、通信部１０２から入力された符号化音声信号を復号化することで音声信号を生成する。出力音声処理部１０３は、生成した音声信号を音声出力部１０４に出力する。
【００２８】
音声出力部１０４は、出力音声処理部１０３から入力された音声信号を音声に変換する。音声出力部１０４は、制御部Ｃ１が有するミュート解除通知部Ｃ１１からミュートモードの解除（通話の中断の再開）を示す音声信号が入力された場合、ユーザに対し、例えば、通知音で通知する。
【００２９】
なお、本実施形態において、音声出力部１０４は、ユーザに対してミュートモードの解除を通知する方法として通知音で通知するとしているが、振動部（図示せず）を用いて振動で通知してもよいし、それらを組み合わせて通知してもよい。ミュートモードの解除が音および振動の少なくとも一方で通知されるため、ユーザは、例えば、端末装置１００を耳に当てたまま（通話する姿勢）、ミュートモードの解除を知ることができる。また、音声出力部１０４または他の機能を備える機能ブロック（図示せず）において、他の方法、例えば、表示部（図示せず）を設けて、アイコンなどを用いることでユーザにミュートモードの解除をユーザに通知してもよい。
【００３０】
音声入力部１０５は、ユーザが入力する音声を音声信号に変換する。音声入力部１０５は、変換した音声信号を入力音声処理部１０６に出力する。
【００３１】
入力音声処理部１０６は、通話の中断を行う機能と該中断した通話の再開を行う機能とを制御する。具体的には、ユーザがミュートモード（通話の中断）を設定すると、制御部Ｃ１が有するミュート設定部Ｃ１０は、入力音声処理部１０６に音声信号の出力（通話）の中断を行わせる。また、ミュート設定部Ｃ１０においてミュートモードが解除（通話の再開）されると、入力音声処理部１０６は、通話の再開を行う。入力音声処理部１０６は、音声入力部１０５から音声信号が入力されると、音声信号を符号化することで符号化音声信号を生成する。入力音声処理部１０６は、生成した符号化音声信号を通信部１０２に出力する。
【００３２】
押圧センサ部１０７は、タッチパネル１０８に対する押圧力の大きさを検出する。押圧センサ部１０７は、検出した押圧力の大きさに応じた押圧検出値を制御部Ｃ１が有する判定部Ｃ１４に出力する。例えば、押圧センサ部１０７は、押圧力の大きさに応じて抵抗値が変化するピエゾ抵抗方式のセンサである。
【００３３】
これにより、押圧センサ部１０７は、押圧検出値を得ることができる。すなわち、押圧センサ部１０７は、ユーザの体の一部がタッチパネル１０８に接触していないとき（非接触時）の値以上の押圧検出値を検出する。なお、本実施形態において、押圧センサ部１０７には、静電容量方式などの公知の方式の押圧センサを用いてもよい。
【００３４】
タッチパネル１０８は、操作入力デバイスとして、ユーザの体の一部などが接触した位置の位置座標を算出する。タッチパネル１０８は、算出した位置座標を制御部Ｃ１が有する接触検出部Ｃ１２に出力する。
【００３５】
制御部Ｃ１は、例えば、ＣＰＵ（シーピーユー：Ｃｅｎｔｒａｌ  Ｐｒｏｃｅｓｓｉｎｇ  Ｕｎｉｔ）（図示せず）がプログラムを実行することより実現される。制御部Ｃ１は、例えば、押圧センサ部１０７から入力された押圧検出値と、制御部Ｃ１が有する記憶部Ｃ１３から読み出した押圧力に関する情報とに基づき、押圧検出値が閾値以上か否かを判定する。ここで、押圧力に関する情報とは、押圧力の大きさの閾値に関する情報と、押圧の遷移時間の閾値に関する情報と、押圧の継続時間の閾値に関する情報とのことである。
【００３６】
制御部Ｃ１は、タッチパネル１０８にユーザの体の一部が接触する位置の位置座標と、押圧検出値の判定結果とに基づいて、ミュート設定部Ｃ１０が入力音声処理部１０６に、例えば、ミュートモードの解除の指示を行う。詳細な制御部Ｃ１の動作は後述する。
【００３７】
制御部Ｃ１は、ミュート設定部Ｃ１０と、ミュート解除通知部Ｃ１１と、判定部Ｃ１４と、接触検出部Ｃ１２と、記憶部Ｃ１３と、を含んで構成される。また、制御部Ｃ１は、その他に、公知の機能部材を備える。
【００３８】
ミュート設定部Ｃ１０は、ミュートモードの設定（通話の中断）の機能とミュートモードの解除（通話の再開）を行う。ミュート解除通知部Ｃ１１は、ミュート設定部Ｃ１０がミュートモードの解除を行うとミュートモードの解除をユーザに通知するための音声信号を生成する。ミュート解除通知部Ｃ１１は、生成した音声信号を音声出力部１０４に出力する。接触検出部Ｃ１２は、タッチパネル１０８にユーザの体の一部が接触する位置の位置座標からユーザの体の一部がタッチパネル１０８に接触する領域の接触する面積（以下、「接触面積」と称する）を算出する。
【００３９】
接触検出部Ｃ１２は、算出した接触面積を判定部Ｃ１４に出力する。記憶部Ｃ１３は、押圧力に関する情報と、接触に関する情報とを記憶している。ここで、接触に関する情報とは、タッチパネル１０８にユーザの体の一部が接触する接触面積の閾値に関する情報などである。判定部Ｃ１４は、記憶部Ｃ１３から押圧力に関する情報と、接触に関する情報とを読み出す。
【００４０】
判定部Ｃ１４は、押圧検出値と、接触面積と、押圧力に関する情報と、接触に関する情報とに基づき、ミュート解除判定処理を行い、判定結果をミュート設定部Ｃ１０に出力する。制御部Ｃ１に係る具体的な機能ブロックの説明、およびミュート解除判定処理の説明は後述する。
【００４１】
ミュート設定部Ｃ１０は、通話中、入力音声処理部１０６に対し、通話を有効とする通常モードから通話を中断するミュートモードへの切り替えを行う。具体的には、ミュート設定部Ｃ１０は、ミュートモードに設定すると、通話を中断し、入力音声の送信を中断させる。ここで、通常モードとは、例えば、音声出力部１０４への音声の出力および音声入力部１０５からの音声の入力を行うモード、すなわち、通話を行うモードである。
【００４２】
ミュート設定部Ｃ１０は、通話の中断後、判定部Ｃ１４のミュート解除判定処理の判定結果を用いて、ミュートモードを解除し、通常モードに切り替える。すなわち、ミュート設定部Ｃ１０は、判定部Ｃ１４が通話の再開を決定すると、ミュートモードを解除し、入力音声処理部１０６に通話を再開させる。
【００４３】
ミュート解除通知部Ｃ１１は、判定部Ｃ１４が、通話を再開すると判定すると、該通話の再開をユーザに通知する。具体的には、判定部Ｃ１４が通話の再開を行うと判定すると、ミュート設定部Ｃ１０は、ミュートモードを解除する。ミュート設定部Ｃ１０は、ミュートモードを解除すると、ミュート解除通知部Ｃ１１にミュートモードの解除をユーザに通知するための音声信号を生成させる。ミュート解除通知部Ｃ１１は、生成した音声信号を音声出力部１０４に出力する。
【００４４】
接触検出部Ｃ１２は、タッチパネル１０８にユーザの体の一部が接触する接触面積Ｓ、タッチパネル１０８にユーザの体の一部が接触する位置の位置座標、タッチパネル１０８に接触しているユーザの体の一部の接触形状を算出する。接触検出部Ｃ１２は、タッチパネル１０８から、そのタッチパネル１０８上においてユーザの体の一部が接触している位置を示す位置座標を検出する。
【００４５】
このとき、タッチパネル１０８は、ユーザの体の一部が接触しているタッチパネル１０８上の領域の接触面積Ｓに応じて、同時に出力する位置座標の数を変化させる。接触検出部Ｃ１２は、例えば、タッチパネル１０８から同時に出力される位置座標の数に基づいて接触面積Ｓを算出する。接触検出部Ｃ１２は、算出した接触面積Ｓを判定部Ｃ１４に出力する。
【００４６】
接触検出部Ｃ１２は、タッチパネル１０８にユーザの体の一部が接触する接触面積Ｓを検出する。接触検出部Ｃ１２は、判定部Ｃ１４が、接触に関する情報を用いて通話の再開を行うと判定する判定精度を上げることに利用される。
記憶部Ｃ１３は、押圧情報記憶部Ｃ１３１と、接触情報記憶部Ｃ１３２と、を含んで構成される。
【００４７】
押圧情報記憶部Ｃ１３１は、押圧力に関する情報を記憶している。接触情報記憶部Ｃ１３２は、接触に関する情報を記憶している。なお、本実施形態において、押圧力に関する情報と、接触に関する情報とは、予め記憶部Ｃ１３が記憶していると記載しているが、ユーザに、よってそれぞれの情報を決定し、記憶させてもよいし、地域ごと、年齢ごとなどのその他の条件を設けて記憶してもよい。また、押圧力に関する情報および接触に関する情報を記憶すると記載しているが、少なくともどちらか一方を記憶させておいてもよい。これにより、判定部Ｃ１４は、通話の再開を行うと判定する判定精度を上げることができる。
【００４８】
判定部Ｃ１４は、押圧センサ部１０７で検出された押圧検出値が入力されると、記憶部Ｃ１３から押圧力に関する情報を読み出す。ここで、押圧力に関する情報とは、押圧検出値の閾値に関する情報、押圧検出値が押圧検出値の閾値を越え続けている時間の閾値に関する情報、押圧センサ部１０７で押圧検出値が検出され始めた時刻から押圧検出値が押圧検出値の閾値に到達するまでの時間の閾値に関する情報などである。
【００４９】
なお、本実施形態において、押圧力に関する情報は、予め記憶部Ｃ１３に記憶されているとしているが、ユーザが決定し、記憶部Ｃ１３に記憶させておいてもよい。
判定部Ｃ１４は、押圧検出値が検出された時刻から記憶部Ｃ１３に記憶されている押圧検出値の閾値に達するまでの時間Ｔ１（押圧遷移時間）を測定する。判定部Ｃ１４は、押圧検出値が押圧検出値の閾値に達した時刻から、その閾値以上の押圧力検出値が検出され続ける継続時間Ｔ２（押圧継続時間）を計測する。
【００５０】
判定部Ｃ１４は、記憶部Ｃ１３から読み出した押圧力に関する情報と、入力された押圧検出値とに基づき、押圧検出値が押圧検出値の閾値Ｐ以上か否かを判定する（第１の判定）。検出押圧値が押圧検出値の閾値Ｐ以上である場合、判定部Ｃ１４は、押圧遷移時間Ｔ１に関する判定を行う（第２の判定）。判定部Ｃ１４は、入力された押圧検出値が押圧検出値の閾値Ｐ以上であり、かつ押圧検出値の閾値Ｐに到達するまでの時間が押圧遷移時間Ｔ１に関する閾値の範囲内である場合、通話の再開を行うと判定をする。
【００５１】
また、判定部Ｃ１４は、第２の判定結果に基づき、押圧検出値が押圧検出値の閾値Ｐに達した時刻から押圧検出値の閾値Ｐ以上の押圧検出値が検出され続ける継続時間が押圧継続時間Ｔ２以上か否かを判定する（第３の判定）。一方、判定部Ｃ１４は、押圧検出値が押圧検出値の閾値Ｐ未満である場合、または押圧検出値が検出されなかった場合、通話の再開（ミュートモードの解除）を行わない。
【００５２】
判定部Ｃ１４は、第１の判定と、第２の判定と、第３の判定とにおいて通話の再開を行うと判定した場合、通話の再開（ミュートモードの解除）をミュート設定部Ｃ１０に行わせる。判定部Ｃ１４は、接触検出部Ｃ１２からタッチパネル１０８にユーザの体の一部が接触する接触面積Ｓが入力されると、記憶部Ｃ１３に記憶されている接触に関する情報を読み出す。
【００５３】
判定部Ｃ１４は、読み出した接触に関する情報と、接触検出部Ｃ１２から入力されたタッチパネル１０８にユーザの体の一部が接触する接触面積Ｓとに基づいて、ユーザの体の一部の接触面積Ｓが接触に関する情報の閾値の下限Ｓｍｉｎ以上かつ接触面積Ｓが接触に関する情報の閾値の上限Ｓｍａｘ以下の条件を満たす場合、特定のユーザの体の一部、例えば、耳が触れていると判定し、ミュート設定部Ｃ１０に通話の再開を行わせる。一方、タッチパネル１０８にユーザの体の一部が接触する接触面積Ｓが閾値の下限Ｓｍｉｎ以上かつ閾値の上限Ｓｍａｘ以下の条件を満たさない場合、通話の中断を継続する。
【００５４】
なお、本実施形態では、接触検出部Ｃ１２は、接触面積を検出しているが、タッチパネル１０８に接触しているユーザの体の一部の接触形状を検出してもよいし、タッチパネル１０８にユーザの体の一部が接触する位置の位置座標をそのまま検出してもよい。また、接触面積と、接触形状と、位置座標と、における少なくともいずれかのうち１つ以上を検出してもよい。
【００５５】
この場合、接触に関する情報は、タッチパネル１０８にユーザの体の一部が接触する形状に関する情報、タッチパネル１０８にユーザの体の一部が接触する位置の位置座標に関する情報などをさらに含む。
【００５６】
ここで、接触検出部Ｃ１２は、タッチパネル１０８から、そのタッチパネル１０８上においてユーザの体の一部が接触している位置を示す位置座標を受け取る。このとき、タッチパネル１０８は、タッチパネル１０８上においてユーザの体の一部が接触している領域のユーザの体の一部の接触形状に応じて、同時に出力される位置座標の数が変化する。
【００５７】
ゆえに、接触検出部Ｃ１２は、例えば、タッチパネル１０８から同時に出力される位置座標の数に基づいて接触するユーザの体の一部の接触形状を算出し、算出したユーザの体の一部の接触形状を判定部Ｃ１４に出力する。
【００５８】
また、判定部Ｃ１４は、読み出した接触に関する情報と、接触検出部Ｃ１２から入力されたタッチパネル１０８にユーザの体の一部が接触する位置の位置座標と、に基づいて、ユーザの体の一部が接触する位置の位置座標が接触に関する情報の条件、例えば、タッチパネル１０８にユーザの体の一部が接触する位置の位置座標が接触に関する情報の示すタッチパネル１０８上の位置の条件を満たす場合、特定のユーザの体の一部、例えば、耳が触れていると判定し、ミュート設定部Ｃ１０に、通話の再開を行わせる。一方、タッチパネル１０８にユーザの体の一部が接触する位置の位置座標が条件を満たさない場合、通話の中断を継続する。
【００５９】
また、判定部Ｃ１４は、読み出した接触に関する情報と、接触検出部Ｃ１２から入力されたタッチパネル１０８にユーザの体の一部が接触する接触形状とに基づいて、接触するユーザの体の一部の接触形状が接触に関する情報の形状と同様の形状の場合、特定のユーザの体の一部、例えば、耳が触れていると判定し、ミュート設定部Ｃ１０に通話の再開を行わせる。一方、タッチパネル１０８にユーザの体の一部が接触する接触形状が接触に関する情報の形状と異なる場合、通話の中断を継続する。
【００６０】
さらに、記憶部Ｃ１３が記憶するタッチパネル１０８にユーザの体の一部が接触する接触形状は、例えば、耳の場合、ヒトの耳の大きさの平均値をとって記憶してもよいし、ユーザが予め記憶部Ｃ１３に耳の形状を記憶させておいてもよい。また、ヒトの耳の大きさの最大値または最小値、あるいは両方を形状として記憶させておいてもよいし、国ごと、地域ごと、ユーザの年齢ごとに異なるため、国ごと、地域ごと、ユーザの年齢ごとに記憶させておくことでもよい。
【００６１】
図４は、本実施形態に係る押圧検出値と、押圧遷移時間Ｔ１と、押圧継続時間Ｔ２との関係の一例を示す概念図である。
図４は、横軸に時間を、縦軸に押圧検出値をとり、押圧検出値に対する、押圧遷移時間Ｔ１と、押圧継続時間Ｔ２との関係を示す図である。図４に示す押圧検出値のＰは、閾値を表している。図４に示すように押圧検出特性Ｇ１では、時刻ｔ１において押圧検出値が押圧検出値の閾値Ｐに達している。本実施形態においては、タッチパネル１０８への一時的なユーザの体の一部の接触による通話の再開を防ぐために、押圧遷移時間Ｔ１に閾値の下限Ｔ１ｍｉｎおよび閾値の上限Ｔ１ｍａｘの条件を設けている。
【００６２】
閾値の下限Ｔ１ｍｉｎおよび閾値の上限Ｔ１ｍａｘの時間の差は、例えば、０．５秒程度である。押圧検出特性Ｇ１では、押圧検出値が押圧検出値の閾値Ｐに到達するまで、Ａ１の時間を要しているが、時間Ａ１が押圧遷移時間Ｔ１の下限Ｔ１ｍｉｎに達していないため、ユーザの体の一部がタッチパネル１０８に一時的に接触しているとみなし、通話の再開を行わない。
【００６３】
図４に示すように押圧検出特性Ｇ２では、時刻ｔ２において押圧検出値が押圧検出値の閾値Ｐに達している。この時、時刻０から時刻ｔ２までの時間は、閾値の下限Ｔ１ｍｉｎと閾値の上限Ｔ１ｍａｘとの間の時間、すなわち、押圧遷移時間Ｔ１の範囲内である。すなわち、判定部Ｃ１４は、押圧遷移時間Ｔ１に関する第２の判定を行い、その結果、通話の再開を行うと判定する。また、押圧検出値が押圧検出値の閾値Ｐに到達した時刻ｔ２以降、時刻ｔ５まで、押圧検出値の閾値Ｐ以上の押圧検出値が検出され続けていることが押圧検出特性Ｇ２に図示されている。
【００６４】
これにより、時刻ｔ２から時刻ｔ５までの時間Ａ３が、押圧継続時間Ｔ２となる。すなわち、判定部Ｃ１４は、時間Ａ３に対して第３の判定を行い、その結果、通話の再開を行うと判定する。従って、判定部Ｃ１４は、押圧検出値に基づく第１の判定と、押圧遷移時間Ｔ１に基づく第２の判定と、押圧継続時間Ｔ２に基づく第３の判定とにおいて、通話の再開の条件が満たされると判定し、通話の再開を行う。
【００６５】
図４に示すように押圧検出特性Ｇ３では、時刻ｔ３において押圧検出値が押圧検出値の閾値Ｐに達している。この時、時刻０から時刻ｔ３までの時間は、閾値の下限Ｔ１ｍｉｎと閾値の上限Ｔ１ｍａｘとの間の時間、すなわち、押圧遷移時間Ｔ１の範囲内である。これにより、判定部Ｃ１４は押圧遷移時間Ｔ１に関する第２の判定を行い、通話の再開を行うと判定する。しかし、押圧検出値は、押圧検出値の閾値Ｐに到達した時刻ｔ３以降、時刻ｔ４において押圧検出値の閾値Ｐを下回っている。
【００６６】
押圧検出特性Ｇ３では、時刻ｔ３から時刻ｔ４までの間の時間Ａ２が、押圧継続時間Ｔ２の条件を満たしていない。すなわち、判定部Ｃ１４は、押圧継続時間Ｔ２に対して第３の判定を行い、その結果、通話の中断を継続すると判定する。従って、判定部Ｃ１４は、押圧遷移時間Ｔ１に基づく第２の判定では、通話の再開を行うと判定するが、押圧継続時間Ｔ２に基づく第３の判定では、通話の中断を継続すると判定する。すなわち、通話の再開を行わない。
【００６７】
なお、本実施形態において、図４に示す押圧検出特性の時間および押圧検出値は、押圧検出値が押圧検出値の閾値Ｐに到達した時刻、押圧遷移時間Ｔ１およびその条件、押圧継続時間Ｔ２およびその条件を示すものであって、本発明はこの関係に限定されない。また、本実施形態において、押圧遷移時間Ｔ１は、閾値の下限Ｔ１ｍｉｎおよび閾値の上限Ｔ１ｍａｘの間の時間Ｔ１の条件を設けているが閾値の下限Ｔ１ｍｉｎの条件のみを用いて判定してもよい。
【００６８】
図５は、本実施形態に係る判定部Ｃ１４の動作の一例を示すフローチャートである。
ユーザは必要に応じて通話中にミュートモード（通話の中断）の設定を行う（Ｓ１０１）。
ミュートモードに設定されない場合（Ｓ１０１−ＮＯ）、ミュート設定部Ｃ１０は、判定部Ｃ１４にＳ１０２以降の動作を実行させない。
ユーザがミュートモードに設定すると（Ｓ１０１−ＹＥＳ）、押圧センサ部１０７は、押圧検出値の検出を行う（Ｓ１０２）。
【００６９】
判定部Ｃ１４は、押圧センサ部１０７が検出した押圧検出値が非接触時の値、例えば、０以上か否かを判定する（Ｓ１０３）。押圧検出値が非接触時の値未満の場合（Ｓ１０２−ＮＯ）、押圧センサ部１０７は、押圧検出値の検出を行う（Ｓ１０２）。一方、押圧検出値が非接触時の値以上の場合、判定部Ｃ１４は、押圧検出値が押圧検出値の閾値Ｐ以上であるか否かを判定する（Ｓ１０４）。
【００７０】
押圧検出値が押圧検出値の閾値Ｐ未満である場合（Ｓ１０４−ＮＯ）、判定部Ｃ１４は、押圧検出値が非接触時の値未満か否かを判定する（Ｓ１０５）。押圧検出値が非接触時の値未満の場合（Ｓ１０５−ＹＥＳ）、判定部Ｃ１４は、押圧センサ部１０７に、再度、押圧検出値の検出を行わせる（Ｓ１０２）。一方、押圧検出値が非接触時の値以上の場合（Ｓ１０５−ＮＯ）、判定部Ｃ１４は、押圧遷移時間Ｔ１の計測を行う（Ｓ１０６）。判定部Ｃ１４は、押圧検出値が押圧検出値の閾値Ｐ以上であるか否かを判定する（Ｓ１０４）。
【００７１】
押圧検出値が押圧検出値の閾値Ｐ以上である場合（Ｓ１０４−ＹＥＳ）、判定部Ｃ１４は、接触検出部Ｃ１２に、タッチパネル１０８にユーザの体の一部が接触する接触面積Ｓを算出させる。判定部Ｃ１４は、接触検出部Ｃ１２に算出させた接触面積Ｓが、下限Ｓｍｉｎと上限Ｓｍａｘの範囲にあるか否かを判定する（Ｓ１０７）。
【００７２】
接触検出部Ｃ１２に算出させた接触面積Ｓが、下限Ｓｍｉｎと上限Ｓｍａｘの範囲外である場合（Ｓ１０７−ＮＯ）、判定部Ｃ１４は、押圧センサ部１０７に、押圧検出値の検出を行わせる（Ｓ１０２）。
一方、接触検出部Ｃ１２に算出させた接触面積Ｓが、下限Ｓｍｉｎと上限Ｓｍａｘの範囲内である場合（１０７−ＹＥＳ）、判定部Ｃ１４は、押圧遷移時間Ｔ１が下限Ｔ１ｍｉｎおよび上限Ｔ１ｍａｘの範囲内か否かを判定する（Ｓ１０８）。
【００７３】
押圧遷移時間Ｔ１が下限Ｔ１ｍｉｎおよび上限Ｔ１ｍａｘの範囲内でない場合（Ｓ１０８−ＮＯ）、判定部Ｃ１４は、押圧遷移時間Ｔ１のタイマをリセットする（Ｓ１０９）。
一方、押圧遷移時間Ｔ１が下限Ｔ１ｍｉｎおよび上限Ｔ１ｍａｘの範囲内である場合（Ｓ１０８−ＹＥＳ）、判定部Ｃ１４は、押圧継続時間Ｔ２の計測を開始する（Ｓ１１０）。
判定部Ｃ１４は、押圧検出値が押圧検出値の閾値Ｐ以上を維持しているか否かを判定する（Ｓ１１１）。
【００７４】
押圧検出値が押圧検出値の閾値Ｐ以上を維持していない場合（Ｓ１１１−ＮＯ）、判定部Ｃ１４は、押圧センサ部１０７に、押圧検出値の検出を行わせる（Ｓ１０２）。一方、押圧検出値が押圧検出値の閾値Ｐ以上を維持している場合（Ｓ１１１−ＹＥＳ）、判定部Ｃ１４は、押圧継続時間Ｔ２の計測値が閾値以上か否かを判定する（Ｓ１１３）。
【００７５】
押圧継続時間Ｔ２の計測値が閾値未満である場合（Ｓ１１３−ＮＯ）、判定部Ｃ１４は、押圧継続時間Ｔ２のタイマをリセットし（Ｓ１１２）、押圧継続時間Ｔ２の計測を再度開始する（Ｓ１１０）。
一方、押圧継続時間Ｔ２の計測値が閾値以上である場合（Ｓ１１３−ＹＥＳ）、判定部Ｃ１４は、ミュート設定部Ｃ１０に、ミュートモードの解除を行わせる（Ｓ１１４）。
【００７６】
判定部Ｃ１４は、ミュート解除通知部Ｃ１１に、ミュートモードの解除をユーザに通知するための音声信号を生成させる。判定部Ｃ１４は、ミュート解除通知部Ｃ１１に、生成させた音声信号を音声出力部１０４に出力させ、ユーザにミュートモードの解除を通知する（Ｓ１１５）。
【００７７】
なお、本実施形態において、ミュートモードに対し、通話の再開を行っているが、保留（通話の中断）から通常モードに切り替える、通話の再開を行ってもよい。この場合、ミュートモードからの通話の再開と同様の手順で実行できる。また、待機モード（非通話時）から通話モード（通話の開始）、すなわち、通話への切り替えも同様の手順で行うことができる。
【００７８】
さらに、本実施形態において、押圧センサ部１０７および接触検出部Ｃ１２を用いて通話の再開を行っているが、ユーザが音声入力部１０５に音声を入力することで通話の再開を行ってもよいし、該音声と、押圧センサ部１０７と、接触検出部Ｃ１２とのいずれかを組み合わせて、通話の再開を行ってもよい。この場合、音声入力部１０５から入力される音声に対して、ミュート設定部Ｃ１０が音声信号を検知し、ミュートモードの解除を行う。
【００７９】
このように、本実施形態において、音声入力部１０５は、音声が入力される。音声処理部（出力音声処理部１０３、入力音声処理部１０６）は、入力された音声に基づく音声信号を処理する。通信部１０２は、音声処理部（出力音声処理部１０３、入力音声処理部１０６）において処理された音声信号の送受信を行う。押圧センサ部１０７は、押圧力の大きさを検出する。制御部Ｃ１は、押圧センサ部１０７で検出された押圧力に基づいて、音声信号の音声通信状態が異なる複数のモードを切り替えることにより、通話の機能を制御する。
【００８０】
従来の近接検出部を用いたモードの切り替えは、ユーザが通常モードとミュートモードとの切り替えを意図しないときに、モノが近接検出部に近接することでミュートモードから通常モードに切り替えてしまうことがあった。このため、通話の機能を適切に制御することができなかった。しかし、押圧センサ部１０７を用いることで、モノが近接することによるユーザが意図しないモードの切り替えをすることがなくなり、適切に通話を制御することができる。
【００８１】
制御部Ｃ１は、通話の開始または通話の再開を行う機能を制御する。記憶部Ｃ１３は、押圧力に関する情報を記憶する。判定部Ｃ１４は、記憶部Ｃ１３に記憶された押圧力に関する情報を読み出す。判定部Ｃ１４は、読み出した押圧力に関する情報と、押圧センサ部１０７で検出された押圧力と、に基づいて自装置の通話の開始または通話の再開を行うか否かを判定する。これにより、判定部Ｃ１４が押圧力に関する情報を用いて通話の再開を行うと判定する判定精度を上げることができ、適切に通話を制御することができる。
【００８２】
押圧力に関する情報は、押圧力の閾値に関する情報と、押圧力が押圧力の閾値を越え続けている押圧遷移時間の閾値に関する情報と、押圧センサ部１０７で押圧力が検出され始めた時刻から押圧力が押圧力の閾値に到達するまでの継続時間の閾値に関する情報とである。これにより、通話の際のユーザの利便性を向上できるとともに、誤操作によるミュートモードの解除を防ぐことができ、適切に通話を制御することができる。
【００８３】
タッチパネル１０８は、操作体が接触する位置の位置座標を検出する。接触検出部Ｃ１２は、操作体がタッチパネル１０８に触れている接触面積、またはタッチパネル１０８に接触している操作体の接触形状を検出する。これにより、判定部Ｃ１４は、接触検出部Ｃ１２で検出された接触に関する情報を用いて通話の再開を行うと判定する判定精度を上げることができる。また、誤操作によるミュートモードの解除を防ぐことができ、通話の際のユーザの利便性を向上できる。さらに、適切に通話を制御することができる。
【００８４】
端末装置１００は、他の端末装置から受信した音声信号に基づく音声を出力する音声出力部１０４をさらに備える。押圧センサ部１０７は、音声出力部１０４の近傍に位置する。これにより、押圧センサ部１０７の押圧検出値の検出精度を上げることができ、ユーザが意図しないときの通話の開始または通話の再開を防ぐことができる。さらに、適切に通話を制御することができる。
【００８５】
判定部Ｃ１４が、通話の再開を行うと判定した場合、通知部（ミュート解除通知部Ｃ１１）が該通話の再開をユーザに通知する。これにより、ユーザは、手動操作による通話の再開を行うことが不要になり、通話する姿勢のまま、例えば、耳に端末装置１００を当てた状態のままで通話の再開を行うことができる。また、通話が再開されたことをユーザは、通話する姿勢で知ることができる。
【００８６】
なお、上述した実施形態における端末装置１００の一部、または全部をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、端末装置１００に内蔵されたコンピュータシステムであって、ＯＳや周辺機器等のハードウェアを含むものとする。
【００８７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。
【００８８】
また上記プログラムは、前述した機能の一部を実現するためのものであっても良く、さらに前述した機能をコンピュータシステムにすでに記録されているプログラムとの組み合わせで実現できるものであっても良い。
【００８９】
また、上述した実施形態における端末装置１００の一部、または全部を、ＬＳＩ（Ｌａｒｇｅ  Ｓｃａｌｅ  Ｉｎｔｅｇｒａｔｉｏｎ）等の集積回路として実現しても良い。端末装置１００の各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【００９０】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００９１】
１００  端末装置
１０１  送受信アンテナ
１０２  通信部
１０３  出力音声処理部
１０４  音声出力部
１０５  音声入力部
１０６  入力音声処理部
１０７  押圧センサ部
１０８  タッチパネル
１２０  表示部
Ｃ１  制御部
Ｃ１０  ミュート設定部
Ｃ１１  ミュート解除通知部
Ｃ１２  接触検出部
Ｃ１３  記憶部
Ｃ１３１  押圧情報記憶部
Ｃ１３２  接触情報記憶部
Ｃ１４  判定部
【図１】
2014022979.tif 000003
【図２】
2014022979.tif 000004
【図３】
2014022979.tif 000005
【図４】
2014022979.tif 000006
【図５】
2014022979.tif 000007